(57)【要約】【課題】挿入した針金や棒等をサムターンに引っ掛けて、サムターンを回転することによる不正解錠を阻止し、防犯性を高める。【解決手段】錠箱を備えた扉に取付けられるサムターン箱２３に回転自在且つ押込み自在に取付けられるサムターン軸３７と、サムターン箱２３に内設されサムターン軸３７が押込まれることでサムターン軸３７と係合して一体回転するサムターンギヤ４３と、サムターンギヤ４３に基端を噛合させる一方、サムターン箱２３から突出させた先端を介して錠箱へ回転操作力を伝達するサムターンコア７１と、サムターン軸３７に係止しサムターン軸の押込みを阻止するストッパ５１と、サムターン箱２３に対し挿抜自在とされサムターン箱２３への挿入によってストッパ５１の係止を解除する規制解除部材２５と、サムターン箱２３に内設されサムターンコア７１の回転状態を外部へ示す標示手段３１とを設けた。【選択図】      図３
2004346700.tif 000002
【特許請求の範囲】
【請求項１】
錠箱を備えた扉に取付けられるサムターン箱と、
該サムターン箱に回転自在且つ押込み自在に取付けられ該サムターン箱からの突出端に摘みを備えるサムターン軸と、
前記サムターン箱に内設され該サムターン軸が押込まれることで該サムターン軸と係合して一体回転するサムターンギヤと、
該サムターンギヤに基端を噛合させる一方、前記サムターン箱から突出させた先端を介して前記錠箱へ回転操作力を伝達するサムターンコアと、
付勢手段によって前記サムターン軸に係止し該サムターン軸の前記押込みを阻止するストッパと、
前記サムターン箱に挿抜自在に備えられ該サムターン箱への挿入によって該ストッパの係止を解除して前記押込みを可能とする規制解除部材と、
前記サムターン箱に内設され前記サムターンコアの回転状態を前記サムターン箱に穿設した開口窓から外部へ示す標示手段と、
を具備したことを特徴とする防犯サムターン。
【請求項２】
請求項１記載の防犯サムターンであって、
前記サムターン箱には、前記サムターン軸を前記押込み方向と反する側へ付勢する付勢手段が備えられていることを特徴とする防犯サムターン。
【請求項３】
請求項１又は２記載の防犯サムターンであって、
前記サムターン箱には、挿入される前記規制解除部材に節度感を発生させて当接し、且つ該規制解除部材を抜脱可能に仮保持する当接子が備えられていることを特徴とする防犯サムターン。
【発明の詳細な説明】
【０００１】
【発明の属する技術分野】
本発明は、扉の施解錠操作に用いられるサムターンを有効又は無効にして防犯性の向上を図る防犯サムターンに関する。
【０００２】
【従来の技術】
従来、サムターン付きの施錠装置は、扉などの開閉体に錠箱が内蔵され、錠箱には、開閉体の屋外側に露出するシリンダー錠と、開閉体の屋内側に露出する回転式のサムターンとが設けられている。
錠箱には、ロック部材である例えばデッドボルトが開閉体の端面（木口）から進退自在に設けられている。
【０００３】
この種の施錠装置では、屋外側に露出したシリンダー錠の鍵孔に、合鍵（キー）を挿入して回転操作することによって、開閉体の木口よりデッドボルトが進退され、建物躯体側の開閉体枠である開口枠体に設けたストライクに対して施解錠が行われるようになっている。
また、屋内側からは、サムターンの摘みが回転操作されるのみで、デッドボルトが進退され、開閉体の施解錠が簡便に行えるようになっている。
【０００４】
【特許文献１】
特許第３２８４８８４号公報  （図１）
【０００５】
【発明が解決しようとする課題】
近年、マンションや住宅の玄関扉等の開閉体、或いはこれら玄関扉等の開閉体近傍における開口枠体の周囲である壁部分に、高級感や優美性を高める目的で、ガラス板を嵌め込んだ小窓が多用されるようになってきている。
ところが、このような小窓を有する開閉体や、近傍に小窓が設けられた開閉体では、小窓のガラス板が割られると、外部から手を差し入れて開閉体のサムターンを不正に操作したり、先端を鉤状に曲げた針金や棒等を挿入して、サムターンが不正に操作されてしまう虞れがある。
【０００６】
一般的に、扉に多用される回転式のサムターンは、上記特許文献１の図１にあるように屋内側に露出する摘みが回動中心から半径方向外側に翼部を張り出させた形状であるため、この翼板部に、針金等を曲げた鉤状先端を掛止し、回転モーメントを与えることにより不正な解錠操作が可能となる場合があった。
また、サムターンは、上記した小窓の無い開閉体においても、郵便ポストの投入開口など、針金を挿入する穴や隙間が開閉体自体或いは開閉体近傍の壁部にあれば、同様に不正解錠される虞があった。
【０００７】
本発明は上記状況に鑑みてなされたもので、挿入した針金や棒等をサムターンに引っ掛けて、サムターンを回転することによる不正解錠を阻止できる防犯サムターンを提供し、防犯性の向上を図ることを目的とする。
【０００８】
【課題を解決するための手段】
次に、上記の課題を解決するための手段を、実施の形態に対応する図面を参照して説明する。
この発明の請求項１記載の防犯サムターン２１は、錠箱を備えた扉に取付けられるサムターン箱２３と、
該サムターン箱２３に回転自在且つ押込み自在に取付けられ該サムターン箱２３からの突出端に摘み２９を備えるサムターン軸３７と、
前記サムターン箱２３に内設され該サムターン軸３７が押込まれることで該サムターン軸３７と係合して一体回転するサムターンギヤ４３と、
該サムターンギヤ４３に基端を噛合させる一方、前記サムターン箱２３から突出させた先端を介して前記錠箱へ回転操作力を伝達するサムターンコア７１と、付勢手段５３によって前記サムターン軸３７に係止し該サムターン軸３７の前記押込みを阻止するストッパ５１と、
前記サムターン箱２３に挿抜自在に備えられ該サムターン箱２３への挿入によって該ストッパ５１の係止を解除して前記押込みを可能とする規制解除部材２５と、
前記サムターン箱２３に内設され前記サムターンコア７１の回転状態を前記サムターン箱２３に穿設した開口窓３３から外部へ示す標示手段３１と、
を具備したことを特徴とする。
【０００９】
この防犯サムターン２１では、摘みの回転操作力を錠箱へ入力するには、規制解除部材２５を挿入してストッパ５１による押込み規制を解除した後、摘み２９を押込み、その後サムターンギヤ４３を回転させ、これに従動するサムターンコア７１を介して錠箱へ回転力を入力しなければならない。従って、外出時や就寝時等、規制解除部材２５が抜かれている状態では、摘み２９がストッパ５１によって押込み不能状態となり、摘み２９が空転するのみとなって、針金や棒等を用いた回転操作が阻止される。また、仮に規制解除部材２５が差し込まれていても、摘み２９を押した後に回転しなければならないため、針金や棒等による単なる回転操作だけでは摘み２９が空転するのみとなり、操作力を錠箱に入力して解錠することができない。さらに、摘み２９が空転することで不明となる施錠状態、すなわち錠箱機構におけるデッドボルトの進退状態が、サムターンコア７１と連動する標示手段３１によって外部から視認可能となる。
【００１０】
請求項２記載の防犯サムターン２１は、請求項１記載の防犯サムターン２１であって、
前記サムターン箱２３には、前記サムターン軸３７を前記押込み方向と反する側へ付勢する付勢手段４９が備えられていることを特徴とする。
【００１１】
この防犯サムターン２１では、サムターン軸３７が押込み方向と反する側へ付勢され、通常時、サムターン軸３７がサムターンギヤ４３と係合しない位置に片寄せられ、摘み２９が空転状態となる。また、押込み力が解除されると、付勢手段４９によってサムターン軸３７がサムターンギヤ４３から離反され、すなわち摘み２９が空転状態となる。
【００１２】
請求項３記載の防犯サムターン２１は、請求項１又は２記載の防犯サムターン２１であって、
前記サムターン箱２３には、挿入される前記規制解除部材２５に節度感を発生させて当接し、且つ該規制解除部材２５を抜脱可能に仮保持する当接子６１が備えられていることを特徴とする。
【００１３】
この防犯サムターン２１では、規制解除部材２５が挿入されると、当接子６１が規制解除部材２５に当接して節度感（クリック感）が生じ、ストッパ５１による規制が解除されたことが明確に把握可能となる。また、ストッパ５１，５１のストッパバネ５３によって規制解除部材２５が押戻され、サムターン軸３７が不用意に規制状態となることが防止されるようになっており、つまり、この当接子６１によって規制解除部材２５が係止状態を維持でき、これにより、ストッパ５１が付勢手段５３に抗してサムターン軸３７に対する押込み阻止を解除した状態となり、サムターン軸３７の押込みを容易とする状態となる。この状態において、上記請求項２の付勢手段を備える構成とすることで、サムターン軸３７の操作のみで施解錠の操作が行えることとなり、その操作時以外では空転状態が保たれる。
【００１４】
【発明の実施の形態】
以下、本発明に係る防犯サムターンの好適な実施の形態を図面を参照して詳細に説明する。
図１は本発明に係る防犯サムターンの外観斜視図、図２は図１に示したサムターン箱の縦断面図、図３は図１に示した防犯サムターンの分解図、図４はストッパが規制位置にある裏板の正面図、図５はストッパが規制解除位置にある裏板の正面図、図６はサムターンギヤとサムターンコアの噛合状況を表す裏板の正面図である。
【００１５】
本実施の形態による防犯サムターン２１は、錠箱を備えた扉に取付けられるサムターン箱２３と、このサムターン箱２３に対して挿入及び抜脱（挿抜）可能に備えられる規制解除部材２５とからなる。サムターン箱２３は、例えば底面の開口した小判型の箱体で形成され、規制解除部材２５を挿入するための挿入穴２７を上部に有し、正面にはサムターン摘み２９と、標示手段３１を表出させる開口窓３３とを有している。規制解除部材２５は、挿入部分となる脚部２５ａの上端に水平な折曲部２５ｂを有したＬ字形に形成され、折曲部２５ｂには図示しない紐等を挿通する孔２５ｃが穿設される。なお、３５は、サムターン箱２３を扉に固定するためのビスである。
【００１６】
図２に示すようにサムターン箱２３にはサムターン軸３７が回動自在に支持され、サムターン軸３７はサムターン箱２３からの突出端に上記の摘み２９を固設している。サムターン軸３７は、サムターン箱２３の内部における略中央部に、フランジ部３９を有している。図３に示すように、サムターン軸３７は、首部３７ａがサムターン箱２３の支持穴４１に挿通されることで、サムターン箱２３に回転自在且つ押込み自在に取付けられ、フランジ部３９によって抜けが阻止されている。
【００１７】
サムターン箱２３にはサムターン軸３７と同軸上にサムターンギヤ４３が回動自在に内設され、サムターンギヤ４３は外周が歯部４３ａとなっている。サムターン軸３７の先端には十字型突起４５が形成される。一方、サムターンギヤ４３の対面部には十字型凹部４７が形成されている。サムターン軸３７は、サムターンギヤ４３との間に配設された付勢手段であるコイルバネ４９により、サムターンギヤ４３から離反する方向（押込み方向と反対方向）に付勢されている。
【００１８】
従って、この付勢位置では、サムターン軸３７の十字型突起４５は、サムターンギヤ４３の十字型凹部４７に係合せず、サムターン軸３７及び摘み２９は、空転するようになっている。一方、コイルバネ４９の付勢力に抗して摘み２９が押込まれると、サムターン軸３７の十字型突起４５がサムターンギヤ４３の十字型凹部４７に係合し、サムターン軸３７とサムターンギヤ４３とが一体回転するようになっている。また、押込み力が解除されれば、コイルバネ４９によってサムターン軸３７がサムターンギヤ４３から離反され、摘み２９が再び空転状態となる。
【００１９】
図４に示すように、サムターン箱２３の内部には、サムターン軸３７を挟むように一対のストッパ５１，５１が揺動自在に設けられ、このストッパ５１，５１はストッパバネ５３の付勢力により先端がサムターン軸３７の外周に摺接されている。このストッパ５１，５１は、サムターン軸３７のフランジ部３９より押込み方向前方の外周に摺接することで、フランジ部３９に当接し（サムターン軸３７に係止し）、サムターン軸３７の押込みを阻止するように働く。
【００２０】
一方、ストッパ５１，５１の揺動中心の近傍には、解除突起５４がそれぞれ突設されている。ストッパ５１，５１は、サムターン箱２３の挿入穴２７に挿入された規制解除部材２５の先端に、解除突起５４が押圧されることで、それぞれがサムターン軸３７の外周から離反する方向へ揺動されるようになっている。図５に示すように、規制解除部材２５が所定の深さまで挿入され、ストッパ５１，５１が揺動されると、サムターン軸３７は、フランジ部３９がストッパ５１，５１と干渉しなくなり、軸線方向の押込みが可能となる。つまり、規制解除部材２５が挿入されることで、サムターン軸３７の押込み規制が解除されるようになっている。
【００２１】
サムターン箱２３の底部には図３に示す裏板５５が組み付けられる。裏板５５の底面（扉との対面）にはクリックピン収容部５７が凹設され、クリックピン収容部５７はピン突出孔５９を介してサムターン箱２３に通じている。クリックピン収容部５７には当接子であるクリックピン６１が収容され、クリックピン６１はピン突出孔５９に挿入されて、先端がサムターン箱２３内へ突出される。クリックピン収容部５７の開口は、ビス６２によって固定される塞ぎ板６３で塞がれる。塞ぎ板６３とクリックピン６１との間にはクリックバネ６５が配設され、クリックバネ６５はクリックピン６１を突出方向へ付勢している。
【００２２】
規制解除部材２５には球面状の凹所２５ｄが形成され、この凹所２５ｄにはクリックピン６１の先端が進入する。クリックピン６１は、規制解除部材２５が挿入穴２７に挿入され、所定の深さとなると、凹所２５ｄに進入し、節度感（クリック感）を発生させて当接し、且つ規制解除部材２５を抜脱可能に仮り保持するようになっている。これにより、ストッパ５１，５１による規制が解除されたことが明確に把握可能となる。また、ストッパ５１，５１のストッパバネ５３によって規制解除部材２５が押戻され、サムターン軸３７が不用意に規制状態となることが防止されるようになっている。
【００２３】
裏板５５のサムターン箱２３の対向面には収容空間６９が形成され、収容空間６９は上記のサムターンギヤ４３を収容する。また、この収容空間６９にはサムターンギヤ４３に噛合するサムターンコア７１が収容される。サムターンコア７１の基部外周には歯部７１ａが形成され、図６に示すように、この歯部７１ａはサムターンギヤ４３に噛合する。サムターンコア７１の先端７１ｂは裏板５５を貫通し、扉内に内蔵された図示しない錠箱の機構と連結され、錠箱へ回転操作力を伝達可能にしている。サムターンギヤ４３及びサムターンコア７１は、収容空間６９に収容されて上蓋７３がビス７５により固定されることで、裏板５５に保持される。
【００２４】
上蓋７３にはサムターンコア７１の基端を突出させる貫通穴７６が形成され、貫通穴７６から突出したサムターンコア７１の基端面には上記の標示手段３１が相対回転不能に固設されている。標示手段３１は、サムターン箱２３に穿設された上記の開口窓３３を介して外部から視認可能となっている。この標示手段３１の表出面には、サムターンコア７１の回転状態、すなわち、施錠状態か解錠状態かが容易に把握可能となる例えば赤や青などの色彩、あるいは縦や横の線や三角形等の印が、印刷や刻印などで形成されている。
【００２５】
次に、このように構成される防犯サムターン２１の作用を説明する。
図７は規制解除部材が挿入された状態の防犯サムターンの縦断面図、図８は摘みが押込まれた状態の防犯サムターンの縦断面図である。
外出時、或いは就寝時には、図２に示したように、サムターン箱２３から規制解除部材２５が抜取られた状態となる。規制解除部材２５が抜かれると、図４に示したように、ストッパ５１，５１がサムターン軸３７の外周に摺接状態となり、摘み２９は押込みが不能となり空転状態となる。これにより、摘み２９の回転操作力は錠箱へ伝達されなくなる。
【００２６】
一方、図７に示すように、規制解除部材２５が挿入穴２７に挿入されると、図５に示すように、ストッパ５１，５１が開脚状態となり、サムターン軸３７の外周から離反する。これにより、サムターン軸３７のストッパ５１，５１による押込み規制が解除され、押込みが可能となる。
【００２７】
規制解除部材２５が挿入された状態では、摘み２９を押込むことで、図８に示すように、サムターン軸３７の先端の十字型突起４５が、サムターンギヤ４３の十字型凹部４７に係合する。この状態で摘み２９が回転操作されると、サムターン軸３７と一体に回転されるサムターンギヤ４３を介してサムターンコア７１が回転され、摘み２９による回転操作力が図示しない錠箱に入力され、錠箱内の施解錠機構によってデッドボルトが進退操作されることとなる。
【００２８】
また、規制解除部材２５が所定深さに挿入されると、規制解除部材２５の凹所２５ｄにクリックピン６１が当接する。これにより、クリック感によって所定位置に達したことの容易な把握が可能になるとともに、規制解除部材２５の不用意な抜けが阻止される。
【００２９】
さらに、サムターンコア７１が回転されると、同時に標示手段３１が回転され、サムターンコア７１の回転状態、すなわち、施錠状態であるか解錠状態であるかが、開口窓３３を介して容易に把握されることになる。
【００３０】
この防犯サムターン２１によれば、摘み２９の回転操作力を錠箱へ入力するには、規制解除部材２５を挿入してストッパ５１，５１による押込み規制を解除した後、摘み２９を押込み、その後サムターンギヤ４３を回転させ、これに従動するサムターンコア７１を介して錠箱へ回転力を入力しなければならない。従って、外出時や就寝時等、規制解除部材２５が抜かれている状態では、摘み２９がストッパ５１，５１によって押込み不能状態となり、摘み２９が空転するのみとなって、針金や棒等を用いた回転操作が阻止される。また、仮に規制解除部材２５が差し込まれていても、摘み２９を押し、そして回転しなければならないため、針金や棒等による単なる回転操作だけでは摘み２９が空転するのみとなり、操作力を錠箱に入力して解錠することができない。さらに、摘み２９が空転することで不明となる施錠状態、すなわち錠箱機構におけるデッドボルトの進退状態が、サムターンコア７１と連動する標示手段３１によって外部から視認可能となり、誤操作を無くすことができる。
【００３１】
このように、上記の防犯サムターン２１によれば、規制解除部材２５が挿入されていても、摘み２９を押込まなければ施解錠操作が行えず、さらに規制解除部材２５が抜かれていれば、摘み２９の押込みも不能となるので、防犯性を一層高めることができる。なお、規制解除部材２５は、別途保管などすることで防犯性を高めることができるとともに、例えば、紐などを孔２５ｃを介して取り付けてサムターン箱２３近傍に掛けておくなどしても良い。
【００３２】
なお、上記した実施の形態では、サムターン軸３７とサムターンコア７１とが同軸上でない場合を例に説明したが、本発明に係る防犯サムターンは、図９に示すように、サムターン軸３７とサムターンコア７１とが同軸上に配置されるものであってもよい。この場合、サムターンコア７１は、先端７１ｂを廃止して歯部７１ａのみで形成する。そして、廃止した先端７１ｂと、サムターンギヤ４３とを一体にした新たな部材８１を形成する。
【００３３】また、上述した実施の形態では、規制解除部材２５をＬ字形の部材で構成した例について述べたが、その他の形状の部材で構成してもよく、例えば、屋外側にて用いられるシリンダー錠に使用する合鍵（キー）を規制解除部材として用いることとしても良い。
【００３４】
【発明の効果】
以上説明したように、本発明に係る請求項１記載の防犯サムターンによれば、回転自在且つ押込み自在なサムターン軸と、このサムターン軸が押込まれることで一体回転するサムターンギヤと、このサムターンギヤに噛合して錠箱へ回転操作力を伝達するサムターンコアと、サムターン軸の押込みを阻止するストッパと、サムターン箱への挿入によってストッパの押込み規制を解除する規制解除部材と、サムターンコアの回転状態を外部へ示す標示手段とを備えたので、摘みの回転操作力を錠箱へ入力するには、規制解除部材を挿入してストッパによる押込み規制を解除した後、摘みを押込み、そしてサムターンギヤを回転させ、これに従動するサムターンコアを介して錠箱へ回転力を入力しなければならない。
従って、外出時や就寝時等、規制解除部材が抜かれている状態では、摘みがストッパによって押込み不能状態となり、摘みが空転するのみとなって、針金や棒等を用いた回転操作を阻止することができる。
【００３５】
また、仮に規制解除部材が差し込まれていても、摘みを押した後に回転しなければならないため、針金や棒等による単なる回転操作だけでは摘みが空転するのみとなり、操作力を錠箱に入力して解錠することができない。
さらに、摘みが空転することで不明となる施解錠の各状態が、サムターンコアと連動する標示手段によって外部から視認可能となる。この結果、操作性を低下させることなく、防犯性を高めることができる。
【００３６】
請求項２記載の防犯サムターンによれば、サムターン軸を押込み方向と反する側へ付勢する付勢手段をサムターン箱に備えたので、通常時、サムターン軸をサムターンギヤと係合しない位置に片寄せし、摘みを空転状態にできる。また、押込み力を解除すれば、付勢手段によってサムターン軸がサムターンギヤから離反され、摘みが空転状態となる。この結果、押込み回転のみで施解錠操作を可能とする動作が確実となる。
【００３７】
請求項３記載の防犯サムターンによれば、挿入された規制解除部材に節度感を発生させて当接し、且つ規制解除部材を抜脱可能に仮り保持する当接子をサムターン箱に備えたので、規制解除部材が挿入されると、当接子が規制解除部材に当接してクリック感が生じ、ストッパによる規制が解除されたことが明確に把握可能となる。また、ストッパの付勢手段によって規制解除部材が押戻され、サムターン軸が不用意に規制状態となることが防止される。この結果、クリック感と同時に規制解除部材が確実に保持され、快適な操作性が実現する。
【図面の簡単な説明】
【図１】本発明に係る防犯サムターンの外観斜視図である。
【図２】図１に示したサムターン箱の縦断面図である。
【図３】図１に示した防犯サムターンの分解図である。
【図４】ストッパが規制位置にある裏板の正面図である。
【図５】ストッパが規制解除位置にある裏板の正面図である。
【図６】サムターンギヤとサムターンコアの噛合状況を表す裏板の正面図である。
【図７】規制解除部材が挿入された状態の防犯サムターンの縦断面図である。
【図８】摘みが押込まれた状態の防犯サムターンの縦断面図である。
【図９】実施の形態の変形例を表す防犯サムターンの縦断面図である。
【符号の説明】
２１…防犯サムターン
２３…サムターン箱
２５…規制解除部材
２９…摘み
３１…標示手段
３３…開口窓
３７…サムターン軸
４３…サムターンギヤ
４９…サムターンバネ（付勢手段）
５１…ストッパ
５３…ストッパバネ（付勢手段）
６１…クリックピン（当接子）
７１…サムターンコア
【図１】
2004346700.tif 000003
【図２】
2004346700.tif 000004
【図３】
2004346700.tif 000005
【図４】
2004346700.tif 000006
【図５】
2004346700.tif 000007
【図６】
2004346700.tif 000008
【図７】
2004346700.tif 000009
【図８】
2004346700.tif 000010
【図９】
2004346700.tif 000011